(57)【要約】  本開示は総じて、対象物を壁又は垂直面に固定できる取付けシステムに関する。
2018512203.tif 000002
【特許請求の範囲】
【請求項１】
第１及び第２の主面並びに第１及び第２の端部を有する第１のバッキング層と、
対象物の表面に接合するための、前記第１のバッキング層の前記第１の主面の少なくとも一部の上にある第１の接着面と、を備える第１の接着構造であって、
前記第１のバッキング層の前記第２の主面は、第１の分離可能なコネクタ層に貼付けるか又は接合することができ、前記第１の分離可能なコネクタ層は、前記バッキング層の前記第２の主面の少なくとも一部を覆う主面を有する、第１の接着構造と、
第１及び第２の主面並びに第１及び第２の端部を有する第２のバッキング層と、
他の対象物の表面に接合するための、前記第２のバッキング層の前記第１の主面の少なくとも一部の上にある接着面と、
前記第２のバッキング層の前記第２の主面の少なくとも一部を覆う第２の分離可能なコネクタ面を有する、協働する第２の分離可能なコネクタ層と、を備える第２の接着構造であって、
前記協働する第２の分離可能なコネクタ層は、前記第１又は前記第２の分離可能な接続層の接続面及び／又は前記第１及び前記第２の接着面を破壊することなく、前記第１のバッキング層の前記接続面に接続、解放、及び再接続できる性能を有する、第２の接着構造と、
前記第１又は前記第２の分離可能なコネクタ層のうち少なくとも１つと接続できる、互いに反対側にある両主面を有する、第３の層と、を備える取付けシステム。
【請求項２】
前記第３の分離可能なコネクタ層が、２つの主面のうちの少なくとも１つにループ係合部を備えている、請求項１に記載の取付けシステム。
【請求項３】
前記第３の分離可能なコネクタが、約０．０５〜約１．０インチの厚さを有する、請求項１又は２に記載の取付けシステム。
【請求項４】
０．１５インチ〜約５インチの厚さを有する、請求項１〜３のいずれか一項に記載の取付けシステム。
【請求項５】
絵画フレーム又は写真フレームのイーゼルバック又はスタンドの厚さを超える厚さを有する、請求項１〜４のいずれか一項に記載の取付けシステム。
【請求項６】
前記第３の分離可能なコネクタが、前記第１又は前記第２の接着構造のうちの１つに貼付けられるか又は接着される、請求項１〜５のいずれか一項に記載の取付けシステム。
【請求項７】
前記第１及び前記第２の接着構造のうちの少なくとも１つは引き伸ばしにより解放可能である、請求項１〜６のいずれか一項に記載の取付けシステム。
【請求項８】
前記第１及び前記第２のバッキング層のうちの少なくとも１つが引き伸ばし可能である、請求項７に記載の取付けシステム。
【請求項９】
前記第２のバッキング層及びその接着面が共に引き伸ばし可能であり、その接着面が前記他方の対象物に接合された後に、前記第２のバッキング層が第１の端部と第２の端部との間を延びている方向に前記第２のバッキング層の前記第１の端部に力を加えることによって、前記他方の対象物から前記接着面の接合を段階的に解除できる、請求項７又は８に記載の取付けシステム。
【請求項１０】
前記第１のバッキング層の取り外しを容易にするために、前記第１及び前記第２の端部のうちの１つに、非接着性の手動係合可能なタブ部を更に備えた、請求項１〜９のいずれか一項に記載の取付けシステム。
【請求項１１】
前記タブ部が前記第１のバッキング層の引き伸ばしを容易にする、請求項７〜１０のいずれか一項に記載の取付けシステム。
【請求項１２】
前記第１及び前記第２の接着構造のうちの少なくとも１つが可剥性である、請求項１〜１１のいずれか一項に記載の取付けシステム。
【請求項１３】
前記第１及び前記第２の接着構造のうちの少なくとも１つが感圧性接着剤である、請求項１〜１２のいずれか一項に記載の取付けシステム。
【請求項１４】
前記分離可能なコネクタシステムが、機械式ファスナ材料又はループ係合ファスナ材料のうちの少なくとも１つを含む、請求項１〜１３に記載の取付けシステム。
【請求項１５】
前記分離可能なコネクタシステムがフック要素及びループ要素を含み、前記フック要素の少なくともいくつかは、キノコ、フック、ヤシの木、釘、Ｔの字、又はＪの字のうちの少なくとも１つの形状を有する、請求項１４に記載の取付けシステム。
【請求項１６】
分離後に前記第１の分離可能なコネクタ層が前記第１の接着構造と共に残り、前記第２の分離可能なコネクタ層が前記第２の接着構造と共に残るように、前記接着構造が分離可能である、請求項１〜１５のいずれか一項に記載の取付けシステム。
【請求項１７】
前記第３の層が分離可能なコネクタである、請求項１〜１６のいずれか一項に記載の取付けシステム。
【請求項１８】
前記第１のバッキング層の前記第２の主面の少なくとも一部が、前記第１の分離可能なコネクタ層に貼付け又は接合可能な接着剤を含む、請求項１〜１７に記載の取付けシステム。
【発明の詳細な説明】
【技術分野】
【０００１】
本開示は概ね、対象物を壁又は垂直面に固定することが可能な取付けシステムに関する。
【背景技術】
【０００２】
イーゼルバック付きの絵画フレーム又は写真フレームは、絵画フレーム又は写真フレームの背後に貼付けられてフレームをまっすぐに保持する支持構造を含む。写真フレーム又は絵画フレームと共に使用されるとき、イーゼルバックは、しばしば垂直に対して約２０°の角度で、写真又は絵画を垂直に展示することを容易にする。
【０００３】
イーゼルバック付きの写真フレームの背後から見た例示的な概略図が、図１に示される。イーゼルバック付きの写真フレーム１００は、フレーム部１１０及びイーゼルバック又はイーゼルスタンド部１２０を含む。イーゼルバック部１２０は、ヒンジ１３０によってフレーム部１１０に接続される。
【発明の概要】
【０００４】
本開示の発明者らは、絵画フレーム又は写真フレームのイーゼルバック又はスタンドは、フレームに設けられた貼付け機構（たとえば鍵穴、鋸歯など）を用いて絵画フレーム又は写真フレームを壁に対して相対的に同一の面にしっかりと貼付ける又は接着することを妨げることが多いことを認識した。これは、イーゼルバック又はイーゼルスタンド部が、釘又は貼付け装置の厚さを超える厚さを有する場合があるためである。更に、イーゼルバック又はイーゼルスタンドは、３Ｍ（商標）の「コマンド（商標）」絵画掛けストリップの効果的な使用が困難になり得る厚さを有する。これは、イーゼルバック又はイーゼルスタンドの厚さが、３Ｍ（商標）の「コマンド（商標）」絵画掛けストリップの厚さと同じか又は超える場合があるためである。これらの課題はイーゼルバック又はイーゼルスタンドを取り除くことによって解決され得るが、イーゼルスタンド又はイーゼルバックを取り除くことは困難で時間がかかり、フレームを傷付ける、又は破損する可能性がある。
【０００５】
更に本開示の発明者らは、住宅設計の傾向の一つは、様々な壁装飾品を、それらの少なくともいくつかを壁又は垂直面から異なる距離で互いに重ね合わせて掛けるものであることを認識した。そのような壁の装飾の２つの例が図２ａ及び図２ｂに提供される。
【０００６】
これらの問題の少なくともいくつかに対処するため、本開示の発明者らは、改善された、厚さを増した絵画掛けストリップ／取付けシステムを発明した。いくつかの実施形態において、絵画掛けストリップ／取付けシステムは、イーゼルスタンド又はイーゼルバックを取り外す必要なく、対象物（例えばイーゼルバック付き絵画フレーム又は写真フレームを含む）を壁又は垂直面に対して同一面に及び／又は隣接して取付ける、掛ける、又は固定する。いくつかの実施形態において、絵画掛けストリップ／取付けシステムは、壁又は垂直面から所望の距離若しくは奥行きで、壁又は垂直面に対象物（例えばイーゼルバック付き絵画フレーム又は写真フレームを含む）を取付ける、掛ける、又は固定する。例えばいくつかの実施形態において、対象物を掛ける、貼付ける、又は取付けるとき、使用者が対象物を壁又は垂直面から離したい奥行きの実現を容易にする、所望の厚さを有する第３のコネクタを選択することができる。更に、本明細書で説明される取付けシステムの実施形態は、損傷なく掛けることを実現する。
【０００７】
いくつかの実施形態は、（Ａ）第１の接着構造であって、第１及び第２の主面並びに第１及び第２の端部を有する第１のバッキング層と、対象物の表面に接合するための、第１のバッキング層における第１の主面の少なくとも一部の上にある第１の接着面と、第１のバッキング層における第２の主面の少なくとも一部の上にある第２の接着面とを備え、第２の接着面は第１の分離可能のコネクタ層に接合され、第２の分離可能のコネクタ層はバッキング層における第２の主面の少なくとも一部を覆う主面を有する、第１の接着構造と、（Ｂ）第２の接着構造であって、第１及び第２の主面並びに第１及び第２の端部を有する第２のバッキング層と、他の対象物の表面に接合するための、第２のバッキング層における第１の主面の少なくとも一部の上にある接着面と、第２のバッキング層における第２の主面の少なくとも一部を覆う協働する分離可能のコネクタ面とを備え、協働する分離可能のコネクタ面は、分離可能なコネクタ面、協働する接続面、及び接着テープを破壊することなく、第１のバッキング層の接続面に接続、解放、及び再接続できる性能を有する第２の接着構造と、（Ｃ）第１又は第２の分離可能なコネクタ層に接続することができる、互いに反対側にある両主面を有する第３の層と、を備える取付けシステムに関する。
【０００８】
いくつかの実施形態において、第１及び／又は第２の接着剤のうちの少なくとも１つは、引き伸ばし可能、可剥性、又は感圧性のうちの少なくとも１つである。いくつかの実施形態において、第１又は第２のバッキング層のうちの少なくとも１つは、引き伸ばし可能及び／又は引き伸ばしにより解放可能である。
【０００９】
いくつかの実施形態は、第１のバッキング層の取り外しを容易にするために、第１及び第２の端部の１つに、非接着性の手動係合可能なタブ部を備える。いくつかの実施形態において、タブ部は第１のバッキング層の引き伸ばしを容易にする。
【００１０】
いくつかの実施形態において、第２のバッキング層及びその接着面は共に引き伸ばし可能であり、第２のバッキング層の接着面が他の対象物に接合した後、第２のバッキング層が第１の端部と第２の端部との間を延びている方向に第２のバッキング層の第１の端部に力を加えることによって、接着面の接合をその対象物から段階的に解除する。いくつかの実施形態において、第３の分離可能なコネクタ層は、その２つの主面のうちの少なくとも１つにループ係合部を備える。
【００１１】
いくつかの実施形態において、第３の分離可能なコネクタは、約０．０５〜約１．０インチの厚さを有する。いくつかの実施形態において、取付けシステムは０．１５インチ〜約５インチの厚さを有する。いくつかの実施形態において、取付けシステムは、絵画フレーム又は写真フレームのイーゼルバック又はスタンドの厚さを超える厚さを有する。
【００１２】
いくつかの実施形態において、第３の分離可能なコネクタは、第１又は第２の接着構造のうちの１つに貼付けられるか、又は接着される。
【００１３】
いくつかの実施形態において、分離可能なコネクタシステムは、機械式ファスナ材料又はループ係合ファスナ材料のうち少なくとも１つを含む。いくつかの実施形態において、分離可能なコネクタシステムはフック要素及びループ要素を含み、フック要素の少なくともいくつかは、キノコ、フック、ヤシの木、釘、Ｔの字、又はＪの字のうちの少なくとも１つの形状を有する。
【００１４】
いくつかの実施形態において、接着構造は、分離後に第１の分離可能なコネクタ層が第１の接着構造と共に残り、第２の分離可能なコネクタ層が第２の接着構造と共に残るように分離可能である。
【００１５】
いくつかの実施形態において、第３の層は分離可能なコネクタである。いくつかの実施形態において、第３の層は分離した部片又はユニットである。いくつかの実施形態において、第３の層は第１又は第２の接着構造のうちの１つに貼付けられるか、又は接着される。
【図面の簡単な説明】
【００１６】
【図１】従来技術のイーゼルバック付き絵画フレームを背後から見た概略図である。
【図２ａ】重なり合うことができるように異なる奥行きで壁に掛けた種々の対象物を含む、例示的な壁の概略図である。
【図２ｂ】重なり合うことができるように異なる奥行きで壁に掛けた種々の対象物を含む、例示的な壁の概略図である。
【図３】本明細書で総じて説明されるタイプの例示的な取付けシステムの斜視図である。
【図４】本明細書で総じて説明されるタイプの例示的な取付けシステムの側断面図である。
【図５】断面が示された図４の取付けシステムの正面からの概略図である。
【図６Ａ】本明細書で説明されるタイプの例示的な取付けシステムの概略側面図である。
【図６Ｂ】先行技術の絵画掛けストリップの概略側面図である。
【図７】本明細書で総じて説明される取付けシステムの少なくとも一部が適用された絵画フレーム又は写真フレームの背面側の概略図である。
【００１７】
【図８】本明細書で説明される一般的なタイプの取付けシステムを使用して壁に貼付け及び／又は接着した絵画フレーム又は写真フレームの概略側面図である。
【発明を実施するための形態】
【００１８】
図は、必ずしも一定の比率の縮尺ではない。いくつかの特徴部は、特定の構成要素の詳細を示すために誇張されている又は最小化されていることがある。したがって、本明細書に開示される具体的な構造的及び機能的詳細は限定的なものとして解釈されるべきではなく、本発明の様々な使用を当業者に教示するための代表的な根拠としてのみ解釈されるべきである。
【００１９】
本開示について、添付図面を参照して、以下により詳しく説明する。添付図面には、例示的な実施形態が示される。しかしながら、本開示の範囲は、多くの異なる形態で具体化されてもよく、本明細書に述べられる又は示される実施形態に限定されると解釈されるべきでない。
【００２０】
本開示のいくつかの実施形態は、３Ｍ（商標）の「コマンド（商標）」絵画掛けストリップに比べて、厚さを増した絵画掛けストリップシステムを備える取付けシステムを構成する。いくつかの実施形態において、この厚さは、例えば絵画フレーム又は写真フレームのイーゼルバックなどの物品の厚さを超える。いくつかの実施形態において、取付けシステムの厚さは、少なくとも０．１５インチ、０．２０インチ、０．２５インチ、０．３インチ、０．４インチ、０．５インチ、０．６インチ、０．７インチ、０．８インチ、０．９インチ、１．０インチ、１．１インチ、１．２インチ、１．３インチ、１．４インチ、１．５インチ、１．６インチ、１．７インチ、１．８インチ、１．９インチ、２．０インチ、３インチ、４インチ、又は５インチである。いくつかの実施形態において、厚さは約０．１５インチ〜約５インチである。いくつかの実施形態において、取付けシステムの厚さは５インチ未満、４インチ未満、３インチ未満、２インチ未満、１インチ未満、０．５インチ未満、０．４インチ未満、及び／又は０．３インチ未満である。
【００２１】
絵画掛けストリップは、例えば、米国特許第６，６９２，８０７号及び同第６，５７２，９４５号に記載されており、これらは共に参照によりその全体が本明細書に組み込まれる。本明細書で使用される絵画掛けストリップは総じて、１つ以上の対象物に接着され、１つ以上の対象物から取り外し可能な接着テープ構成を指し、その構成内で再使用可能に分離することができ、それによって対象物を他の対象物から分離し、その後互いに再接続することができる。接着テープ構成は、壁に対する絵画フレームのような堅い対象物を含む対象物の、反対側の表面に接合するために使用でき、接着テープ構成の部分は対象物の間から突出せず、後で、対象物同士を、そのどちらをも損傷させることなく簡単に分離できる。
【００２２】
いくつかの実施形態において、接着テープ構成は、再使用可能なコネクタ面と組み合わされた、引き伸ばし解放接着テープ構造を含む。他の実施形態において、接着剤は、可剥性及び／又は感圧性のうちの少なくとも１つである。例示的な可剥性の接着剤として、例えばＰＣＴ国際出願第２０１５／１９５３４４号に記載されたものを含む。本明細書で使用する「感圧性」という用語は感圧性タックのためのダルキスト基準に従って構成される接着剤を指す。ダルキスト基準は、２５℃、１Ｈｚにおいて３×１０５Ｐａ以下の係数を有する接着剤配合と定義される（Ａ．Ｖ．Ｐｏｃｉｕｓ，「Ａｄｈｅｓｉｖｅｓ  ａｎｄ  Ａｄｈｅｓｉｏｎ  Ｔｅｃｈｎｏｌｏｇｙ，３ｒｄ  Ｅｄ．」２０１２，Ｈａｎｓｅｒ  Ｐｕｂｌｉｃａｔｉｏｎｓ，Ｃｉｎｃｉｎｎａｔｉ，ＯＨ；米国特許出願公開第２０１１／０１７９５４９号並びに米国特許第７，６０５，２１２号及び同第５，７１９，２４７号も参照）。感圧性タックのためのダルキスト基準は、１０−６ｃｍ２／ｄｙｎｅに対する典型的な感圧性接着剤の１秒追従としても記載される（Ｄ．Ａ．Ｓａｔａｓ（ｅｄ.），「Ｈａｎｄｂｏｏｋ  ｏｆ  Ｐｒｅｓｓｕｒｅ−Ｓｅｎｓｉｔｉｖｅ  Ａｄｈｅｓｉｖｅ  Ｔｅｃｈｎｏｌｏｇｙ」１９８２，Ｖａｎ  Ｎｏｓｔｒａｎｄ  Ｒｅｉｎｈｏｌｄ  Ｃｏｍｐａｎｙ  Ｉｎｃ．Ｎｅｗ  Ｙｏｒｋ，Ｎｅｗ  Ｙｏｒｋ．）。
【００２３】
本明細書で総じて説明されるタイプの例示的な取付けシステム／絵画掛けストリップが、図３及び図４に概略的に示される。絵画掛けストリップ／接着テープ構成１０は、第１の引き伸ばし解放接着テープ構造１２及び第２の引き伸ばし解放接着テープ構造１４を含み、それらは、２つの分離可能なコネクタシステム１６及び１００によって共に接続されている。第１の引き伸ばし解放接着構造１２は、分離可能なコネクタシステム１６によって第２の引き伸ばし解放接着テープ構造１４と接続され、かつ接着テープ１０の一方の側を覆う第１のライナー１８及び接着テープ１０の他方の側を覆う第２のライナー２０と接続されている。
【００２４】
いくつかの実施形態において、第１の引き伸ばし解放接着構造１２は、バッキング層２２と、同じ又は異なる感圧性接着組成である、バッキング層２２の各側の両主面上の接着層２４及び２６とを備える。図面の層の厚さは、互いに対して原寸大で描かれているわけではない。いくつかの実施形態において、第２の引き伸ばし解放接着構造１４は同様に、バッキング層２８と、同じ又は異なる感圧性接着組成である、バッキング層２８の各側の両主面上の接着層３０及び３２とを備える。いくつかの実施形態において、第１及び第２の引き伸ばし解放接着テープ構造１２及び１４それぞれの接着層２４及び３２の外面は、それぞれライナー１８及び２０で覆われている。いくつかの実施形態において、１つ以上の層の厚さは最終的な用途に合わせて調整され得る。例えば、１つ以上の層の厚さは、取付けシステムの合計厚さがイーゼルバック又はスタンドの厚さを確実に超えるように増加させることができる。
【００２５】
いくつかの実施形態において、図示のようにバッキング層２２及び２８は、引き伸ばし可能なポリマー発泡体層を備える。いくつかの実施形態において、バッキング層２２及び２８は、代替として引き伸ばし可能なポリマーフィルム層を備える。ポリマー発泡体又はポリマーフィルムの選択は、接着テープ１０の具体的な用途による。
【００２６】
いくつかの実施形態において、第１及び第２の引き伸ばし解放接着テープ構造１２及び１４の各々は、好ましくはタブ３４及び３６をそれぞれ含む。いくつかの実施形態において、タブ３４及び３６は、各接着テープ構造１２及び１４のそれぞれを引き伸ばして解放することを容易にする。タブ３４は、好ましくはバッキング層１２の延長部として提供される。つまり、バッキング層２２は接着層２４又は２６よりも更に長手方向に延びている。タブ３６は、接着層３０及び３２よりも更に長手方向に延びているバッキング層２８の延長部から成る。好ましくは、接着層２４、２６、３０及び３２の各々は、バッキング層２２及び２８それぞれのほぼ同じ領域を覆う。いくつかの実施形態において、以下で説明するように、タブ３４及び３６は、引き伸ばしによる解放のために容易に把持することができるように特定の形状とすることもできる。固形接着剤が使用される場合は、タブを非接着性とすることが更に望ましい可能性がある。このことは、接着面をマスキングする任意の方法によって、又は接着面を非接着性にする、すなわち接着面に粘着性を与えないことによって可能である。
【００２７】
いくつかの実施形態において、分離可能なコネクタシステム１６は、好ましくは第１のコネクタ構成部分３８及び第２のコネクタ構成部分４０を備える。いくつかの実施形態において、第１のコネクタ構成部分３８は、接着層２６の表面によって、第１の引き伸ばし解放接着テープ構造１２に接合される。いくつかの実施形態において、第２のコネクタ構成部分４０は、接着層３０の表面によって、第２の引き伸ばし解放接着テープ構造１４に接合される。いくつかの実施形態において、第１及び第２のコネクタ構成部分３８及び４０は、好ましくは接着層２４、２６、３０、及び３２と同じ範囲を占め、ほぼ同じ領域を覆う。
【００２８】
いくつかの実施形態において、分離可能なコネクタシステム１６又は１００は、第１及び第２の引き伸ばし解放接着テープ構造１２及び１４を共に接続するために、任意の知られている又は開発された再使用可能コネクタシステムを備えることができる。好ましくは、分離可能なコネクタシステム１６は、全体的な面に沿って、引き伸ばし解放接着テープ構造１２及び１４を再使用可能に分離及び接続することを可能にする。コネクタシステム１６は、例えば、（肉眼で見える機械的な変形又は干渉のない接続部を有する）相互係止システム、噛合システムを含む機械式ファスナ、解放可能な接触反応ファスナ等を備えてよい。いくつかの実施形態において、引き伸ばし解放接着テープ構造１２及び１４は分離可能であり、そのため、コネクタシステム１６を分離した後で、第１のコネクタ構成部分３８は第１の引き伸ばし解放接着テープ構造１２と共に残り、第２のコネクタ構成部分４０は第２の引き伸ばし解放接着テープ構造１４と共に残る。
【００２９】
分離可能なコネクタシステム１００は、例えばループ係合ファスナ材料を含む、任意の分離可能なコネクタシステムとすることができる。一般に、ループ係合ヘッドを有するフック要素は、柄の形状とは異なるヘッド形状を有する。本明細書で使用する「ループ係合」という用語は、フック要素をループ状の材料に機械的に貼付けることができる性能に関する。例えば、フック要素は、キノコ（例えば、柄に対して拡大された円形又は楕円ヘッドを有する）、フック、ヤシの木、釘、Ｔの字、又はＪの字の形状であってよい。フック要素のループ係合性は、標準的な織布、不織布、又は編み地材料を使用することによって決定及び画定されることができる。市販で入手可能なループ係合材料の一例は、３Ｍ（商標）の「デュアルロック（商標）」ファスナである。下記の任意の参照（その全てが本明細書に組込まれる）に記載された、任意のループ係合材料、装置、デバイス、製造方法、使用方法が、本明細書に記載された任意の実施形態に使用され得る：米国特許第８，７７７，９１９号、同第４，６９９，６２２号、同第４，８９４，０６０号、同第５，０７７，８７０号、同第５，３１２，３８７号、同第５，３４４，６９１号、同第５，３９９，２１９号、同第５，４８７，８０９号、同第５，５３７，７２２号、同第５，５５４，１４６号、同第５，７０５，０１３号、同第５，７５９，３１７号、同第５，８５１，２０５号、同第５，９５７，９０８号、同第５，９８５，０８１号、同第６，０３０，３７３号、同第６，０５１，０９４号、同第６，０７５，１７９号、同第６，１９０，７５８号、同第６，４０６，４６８号、同第６，５４４，２４５号、同第６，５７５，９５３号、同第７，０３２，２７８号、同第７，１２５，４００号、同第７，３６１，２４６号、同第７，３７１，３０２号、同第７，５１７，５７２号、同第７，５７８，８１２号、同第７，６５８，８１３号、同第３，４７１，９０３号、同第４，１２０，７１８号、同第４，２２３，０６７号、同第４，２１６，２５７号、同第４，３９１，６８７号、同第４，３２２，８７５号、同第４，４１５，６１５号、同第４，４５４，１８３号、同第４，５６３，３８８号、同第３，３５３，６６３号、同第３，４０８，７０５号、同第４，９７７，００３号、同第４，６７９，８５１号、同第４，８１９，３０９号、同第４，７７６，６３６号、同第５，３０８，４２８号、同第５，１３５，５９８号、同第４，９１０，０６２号、同第４，８８７，３３９号、同第４，９８５，４８８号、同第５，６７９，３０２号、同第４，８９４，０６０号、同第５，１４５，９２９号、同第５，９０８，６９５号、同第５，０２４，８８０号、同第５，８５２，８５５号、同第５，０４０，２７５号、同第５，１４９，５７３号，同第４，２９０，８３２号、同第５，４５３，３１９号、同第５，６１４，２３２号、同第５，６９１，０２７号、同第５，７１３，１１１号、同第５，６７１，５１２号、同第５，６２５，９２９号、同第５，６７１，５１１号、同第５，８５１，６６３号、同第５，６５４，４８７号、同第５，６０２，２２１号、同第５，５９８，６１０号、同第５，６９１，０２１号、同第７，８７９，４４１号、同第８，２７７，９２２号、同第６，４７０，５４０号、同第６，０７６，２３８号、同第６，５９２，８００号、同第６，６３０，２３９号、同第６，５８８，０７４号、同第７，２１７，４５５号、同第７，７０３，１７９号、同第６，８７４，７７７号、同第７，１４０，７７４号、及び米国特許出願公開第２００４／００１０２１７号。
【００３０】
いくつかの実施形態において、分離可能なコネクタシステム１６又は１００の接続の領域及びタイプは、好ましくは、接着テープ１０を分離するために必要な力を、使用者が第１及び第２の引き伸ばし解放接着テープ構造１２及び１４に容易に加えられるように選択される。そのような力は、コネクタシステムの全体的な面に対して実質的に垂直方向に加えてよく、又は、剥離力、分割力、それらの組み合わせ、若しくは他の解放機構によって加えられてよい。加えられる力のタイプは、互いに接合される対象物に大きく依存する。可撓性が高い材料では、剥離力は、分離可能なコネクタシステム１６を解放するために利用される主要な力となり得る。堅い材料では、主に分割力が加えられ得る。そこが、人がフレームの底縁部から引っ張って（それにより角度のずれを生じさせ）、上部に位置する接着テープ１０の分離可能なコネクタシステム１６及び／又は１００を解放する箇所である。フレームを垂直方向に解放するために引っ張る場合、垂直の力が加えられる。更に、コネクタシステム１６及び１００は、特定の用途によっては、複数の対象物間での接着テープ１０の使用を基本として、分離可能なコネクタシステム１６又は１００が分離しないように、それが分離する全体的な面に沿って十分な強度を提供すべきである。垂直の壁面に取付ける絵画フレームのような対象物の場合、適用中又は時間の経過と共に絵画フレームが下方にずれることのないよう、コネクタシステム１６又は１００は、それが分離する全体的な面の方向に十分な強度を有するべきである。分離可能なコネクタシステム１６又は１００は、対象物を支持するために、接着層２４及び３２の表面に対して平行方向の内部静的せん断強度を提供し、接着テープ１０はその方向で対象物の間に貼付けられる。つまり、コネクタシステム１６又は１００のせん断強度は好ましくは、感圧性接着剤が適用される表面で、感圧性接着剤が発生させることのできる最大のせん断力と同等であるか、又はそれを超過する（例えば約６ポンド／平方インチ（０．０４１ＭＰａ））。
【００３１】
図５は、図４の断面図に示される取付けシステムの、写実的な正面図を示す。図６Ａは取付けシステム１０を概略的に示す。図６Ｂは従来技術の絵画掛けストリップの断面を概略的に示す。
【００３２】
図７及び図８に概略的に示すように、接着テープ１０は、第１の対象物５０（壁）と第２の対象物５２（絵画フレーム）の間から接着テープ１０のいかなる部分もはみ出ることなく、第１の対象物５０と第２の対象物５２との間に位置付けされ得る。絵画フレームは、壁に対してバランスのとれた支持を提供するように位置付けされた単一の接着テープ１０によって、接続され得る。しかしながら、任意数の接着テープ１０が使用され得る（例えば、図７及び図８では、本明細書で説明されたタイプの取付けシステムが２つ使用されている）。更に、対象物を共に再位置付けできる性能は、正確な位置合せ及びバランスのとれた位置付けを可能にするために促進される。
【００３３】
端点による全ての数値範囲の記載は、その範囲内に含まれる全ての数を含むものとする（すなわち、１〜１０の範囲には、例えば、１、１．５、３．３３、及び１０が含まれる）。
【００３４】
詳細な説明及び特許請求の範囲における用語、第１、第２、第３などは、類似の要素の間の区別に使用されるものであり、必ずしも順序又は時系列を記述するものではない。そのように使用される用語は、適切な環境下では互換的であること、及び本明細書に記載の本発明の実施形態は本明細書に記載又は例示した以外の順序で操作可能であるということが理解されるべきである。
【００３５】
更に、詳細な説明及び特許請求の範囲における用語、最上部、底部、上、下などは説明の目的で使用されるものであり、必ずしも相対的な位置を記述するものではない。そのように使用される用語は、適切な環境下では互換的であること、及び本明細書に記載の本発明の実施形態は本明細書に記載又は例示した以外の配向で操作され得るということが理解されるべきである。
【００３６】
本明細書に記述される参考文献は全て、その全体が参照により本明細書に組み込まれる。
【００３７】
コネクタシステムは、特定の用途のため、又は特定のタイプの対象物を共に接続するために特に好適な多くの異なる特性を有し得ることが理解できる。したがって、本発明に従ってこのような任意のコネクタシステムが使用できるが、特定の用途のため、又は特定のタイプの対象物を共に接続するために特に好適な特性を基に選択されたコネクタシステムが有利に選ばれ得る。
【００３８】
上記の実施形態及び実施例の詳細には、それらの基礎をなす原理から逸脱することなく多くの変更を加えることができる点は当業者に理解されるであろう。更に、本開示に対する様々な改変及び変形が、本開示の趣旨及び範囲から逸脱することなく当業者にとって明らかとなろう。したがって、本開示の範囲は、以下の「特許請求の範囲」によってのみ定められるべきものである。
【図１】
2018512203.tif 000003
【図２ａ】
2018512203.tif 000004
【図２ｂ】
2018512203.tif 000005
【図３】
2018512203.tif 000006
【図４】
2018512203.tif 000007
【図５】
2018512203.tif 000008
【図６Ａ】
2018512203.tif 000009
【図６Ｂ】
2018512203.tif 000010
【図７】
2018512203.tif 000011
【図８】
2018512203.tif 000012
【国際調査報告】
2018512203.tif 000013
2018512203.tif 000014